(57)【要約】【課題】平面的な表示だけでなく曲面的な表示も行うことができ、かつ視野角の広い表示を行うことができ、安価で消費電力の少ない表示装置を提供すること。【解決手段】全部若しくは一部を透明若しくは半透明に形成した表示パネルと、前記表示パネルの裏面に対して近接および離間するように設けられた表示体と、前記表示体と光透過性の低い流動体を収容した収容部を有し、前記表示パネルの裏面に近接させることにより当該表示パネルを介して前記表示体を見せ、離間させることにより表示体を見えなくしたこと。【選択図】図１
2005288001.tif 000002
【特許請求の範囲】
【請求項１】
全部若しくは一部を透明若しくは半透明に形成した表示パネルと、
前記表示パネルの裏面に対して近接および離間するように設けられた表示体と、
前記表示体と光透過性の低い流動体を収容した収容部を有し、
前記表示パネルの裏面に近接させることにより当該表示パネルを介して前記表示体を見せ、離間させることにより表示体を見えなくしたことを特徴とする表示装置。
【請求項２】
前記表示パネル表面の全部または一部が曲面であることを特徴とする請求項１記載の表示装置。
【請求項３】
全部若しくは一部を透明若しくは半透明に形成した表示パネルの裏面側に、光透過性の低い流動体内で移動する所定形状の移動体を設け、
当該移動体を移動させることにより前記表示パネル裏面と前記移動体表面との間隔を変化させ、当該間隔の変化によって生じる前記流動体層の厚みの変化によって、前記表示パネルを介した移動体表面の見え方を変化させるようにしたことを特徴とする表示体の表示方法。
【請求項４】
側面の一部また全部を透明体若しくは半透明体によって形成した収容部と、
前記収容部内に収容された光透過性の低い流動体と、
前記流動体と共に前記収容部に収容され、前記透明体若しくは半透明体を介して視認可能に構成された表示体であって、前記透明体若しくは半透明体との間に介在する流動体によって視認が妨げられる位置から、前記透明体若しくは半透明体に対する近接によって視認可能となる位置まで可逆的に移動するように構成された表示体とを有していることを特徴とする表示装置。
【請求項５】
前記透明体若しくは半透明体表面の全部または一部が曲面であることを特徴とする請求項４記載の表示装置。
【請求項６】
側面の一部また全部を透明体若しくは半透明体によって形成した収容部に、光透過性の低い流動体と前記透明体若しくは半透明体を介して視認可能に構成された表示体を収容し、
前記表示体を、前記透明体若しくは半透明体との間に介在する流動体によって視認が妨げられる位置から、前記透明体若しくは半透明体に対する近接によって視認可能となる位置まで可逆的に移動するように構成したことを特徴とする表示体の表示方法。
【請求項７】
全部若しくは一部が透明若しくは半透明に形成された壁を有する収容部と、
前記収容部内に位置し、前記壁に向かって移動可能な表示体と、
前記収容部内に収容され、光の透過を阻止可能な流動体であって、前記壁と前記表示体との間で流動体層を形成している前記流動体とからなり、
前記表示体は、前記壁と前記表示体との間に介在する流動体層により前記壁を介して視認不可能な位置から、前記壁に向かって移動可能であり、前記壁に向かって移動することにより、前記壁と前記表示体との間に介在する前記流動体層の厚みが減少し、前記壁を介して視認可能な位置をとり得ることを特徴とする表示装置。
【請求項８】
前記壁が曲面に形成されていることを特徴とする請求項７記載の表示装置。
【請求項９】
前記表示体を移動させる駆動部をさらに有し、前記駆動部は前記流動体を介して前記壁と対向する位置に設けられていることを特徴とする請求項７記載の表示装置。
【請求項１０】
全部若しくは一部が透明若しくは半透明に形成された壁を有する収容部と、
前記収容部内に位置し、前記壁に向かって移動可能な表示体と、
前記収容部内に収容され、光の透過を阻止可能な流動体であって、前記壁と前記表示体との間で流動体層を形成している前記流動体とからなり、
前記表示体は、前記壁と前記表示体との間に介在する流動体層により前記壁を介して視認不可能な位置から、前記壁に向かって移動可能であり、前記壁に向かって移動することにより、前記壁と前記表示体との間に介在する前記流動体層の厚みが減少し、前記壁を介して視認可能な位置をとり得ることを特徴とする表示方法。
【発明の詳細な説明】
【技術分野】
【０００１】
本願発明は、表示装置および表示方法に関するものである。特に、人形やロボット等の表情を表す眼部への使用に好適な表示装置および表示方法に関するものである。
【背景技術】
【０００２】
従来より、文字や記号等の視覚情報を表示する種々の表示装置が知られている。当該従来の表示装置として、複数の発光ダイオードをマトリクス状に配列し、当該各発光ダイオードを駆動制御することにより所定の視覚情報として表示するようにしたものがある。また、数字、文字、絵等の所定形状のセグメントを形成し、通電制御によって当該セグメントの表示・非表示を行わせる液晶表示装置が一般的に知られている。また、これら発光ダイオードや液晶表示装置を人形の眼部に使用し、人形の表情を変化させるようにした技術が知られている（特許文献１）。
【特許文献１】特開２０００−７０５５７号公報
【発明の開示】
【発明が解決しようとする課題】
【０００３】
上記特許文献１記載の技術は、表示素子として液晶または発光ダイオードを用い、眼部の表示を変化させることにより、人形の顔の表情等を変化させるものである。
しかし、液晶表示装置に用いる液晶パネルは、構造上湾曲した表示面を形成することが難しく、目の大きなアニメーションキャラクタを模した人形等に液晶表示装置を使用することは、湾曲した顔面部に平らな表示面の液晶表示装置を用いることとなりデザイン上好ましくない。
また、液晶表示装置は、認識できる視野角が狭いため、視る角度によっては表示セグメントが見えにくくなるといった問題点があった。
また、発光ダイオードを用いた表示装置は、多数の発光ダイオードを配列させる構造であるので製造コストが高くなり、消費電力が多く、表示制御のための電子部品と複雑な回路を要するものである。また、発光ダイオードを用いた表示装置は、表示情報を比較的大きな点の集合として表示するものであるため、人形の眼としてデザイン上好ましい装置とは言えないものである。
【０００４】
本願発明は、平面的な表示面に限らず表示面を曲面とすることができること、視野角の広い表示を行うことができること、安価で消費電力の少ない表示装置を提供すること等を目的とするものである。
【課題を解決するための手段】
【０００５】
上記課題を解決するために本願請求項１記載の発明は下記の構成を有する。すなわち、
全部若しくは一部を透明若しくは半透明に形成した表示パネルと、
前記表示パネルの裏面に対して近接および離間するように設けられた表示体と、
前記表示体と光透過性の低い流動体を収容した収容部を有し、
前記表示パネルの裏面に近接させることにより当該表示パネルを介して前記表示体を見せ、離間させることにより表示体を見えなくしたことを特徴とする表示装置。
【０００６】
また、本願請求項２記載の発明は下記の構成を有する。すなわち、
前記表示パネル表面の全部または一部が曲面であることを特徴とする請求項１記載の表示装置。
【０００７】
また、本願請求項３記載の発明は下記の構成を有する。すなわち、
全部若しくは一部を透明若しくは半透明に形成した表示パネルの裏面側に、光透過性の低い流動体内で移動する所定形状の移動体を設け、
当該移動体を移動させることにより前記表示パネル裏面と前記移動体表面との間隔を変化させ、当該間隔の変化によって生じる前記流動体層の厚みの変化によって、前記表示パネルを介した移動体表面の見え方を変化させるようにしたことを特徴とする表示体の表示方法。
【０００８】
また、本願請求項４記載の発明は下記の構成を有する。すなわち、
側面の一部また全部を透明体若しくは半透明体によって形成した収容部と、
前記収容部内に収容された光透過性の低い流動体と、
前記流動体と伴に前記収容部に収容され、前記透明体若しくは半透明体を介して視認可能に構成された表示体であって、前記透明体若しくは半透明体との間に介在する流動体によって視認が妨げられる位置から、前記透明体若しくは半透明体に対する近接によって視認可能となる位置まで可逆的に移動するように構成された表示体とを有していることを特徴とする表示装置。
【０００９】
また、本願請求項５記載の発明は下記の構成を有する。すなわち、
前記透明体若しくは半透明体表面の全部または一部が曲面であることを特徴とする請求項４記載の表示装置。
【００１０】
また、本願請求項６記載の発明は下記の構成を有する。すなわち、
側面の一部また全部を透明体若しくは半透明体によって形成した収容部に、光透過性の低い流動体と前記透明体若しくは半透明体を介して視認可能に構成された表示体を収容し、
前記表示体を、前記透明体若しくは半透明体との間に介在する流動体によって視認が妨げられる位置から、前記透明体若しくは半透明体に対する近接によって視認可能となる位置まで可逆的に移動するように構成したことを特徴とする表示体の表示方法。
【００１１】
また、本願請求項７記載の発明は下記の構成を有する。すなわち、
全部若しくは一部が透明若しくは半透明に形成された壁を有する収容部と、
前記収容部内に位置し、前記壁に向かって移動可能な表示体と、
前記収容部内に収容され、光の透過を阻止可能な流動体であって、前記壁と前記表示体との間で流動体層を形成している前記流動体とからなり、
前記表示体は、前記壁と前記表示部との間に介在する流動体層により前記壁を介して視認不可能な位置から、前記壁に向かって移動可能であり、前記壁に向かって移動することにより、前記壁と前記表示部との間に介在する前記流動体層の厚みが減少し、前記壁を介して視認可能な位置をとり得ることを特徴とする表示装置。
【００１２】
また、本願請求項８記載の発明は下記の構成を有する。すなわち、
前記壁が曲面に形成されていることを特徴とする請求項７記載の表示装置。
【００１３】
また、本願請求項９記載の発明は下記の構成を有する。すなわち、
前記表示体を移動させる駆動部をさらに有し、前記駆動部は前記流動体を介して前記壁と対向する位置に設けられていることを特徴とする請求項７記載の表示装置。
【００１４】
また、本願請求項１０記載の発明は下記の構成を有する。すなわち、
全部若しくは一部が透明若しくは半透明に形成された壁を有する収容部と、
前記収容部内に位置し、前記壁に向かって移動可能な表示体と、
前記収容部内に収容され、光の透過を阻止可能な流動体であって、前記壁と前記表示体との間で流動体層を形成している前記流動体とからなり、
前記表示体は、前記壁と前記表示部との間に介在する流動体層により前記壁を介して視認不可能な位置から、前記壁に向かって移動可能であり、前記壁に向かって移動することにより、前記壁と前記表示部との間に介在する前記流動体層の厚みが減少し、前記壁を介して視認可能な位置をとり得ることを特徴とする表示方法。
【発明の効果】
【００１５】
本願発明に係る表示装置は、次のような効果を有する。
本願発明に係る表示装置は、表示パネルに表示体を当接若しくは近接させることにより表示体を視認させる構造であるから、表示体の形状・模様・色彩を鮮明に視認させることができる。また、偏光板等を使用していないので視野角の広い表示を行うことができ、高価な素子や液晶表示装置等の電子デバイスを使用しないので用途に合わせて安価に製造することができるという効果を有する。
また、収容している流動体の粘性によって駆動装置に電流を印加していない状態であっても移動体（表示体）の位置を保持することができ表示状態を保つことが出来るという効果を有している。
さらに、本願発明に係る表示装置は、表示パネルの形状と当該表示パネルの裏面に当接若しくは近接する表示体の形状を適時変更することにより、様々な形態の表示を行うことができ、用途に応じて美観を損なうことなく、大きさや形状の異なる種々の装置に本願表示装置を用いることが出来るという効果を有している。
【発明を実施するための最良の形態】
【００１６】
［第１実施形態］以下、本願発明の第１の実施の形態を図１乃至図４を用いて説明する。
図１は本願発明に係る表示装置の分解斜視図である。図２は本願発明に係る表示装置の正面図である。図３は本願発明に係る表示装置の断面図である。図４（ａ）〜（ｄ）は本願発明に係る表示装置の使用状態を説明するための説明図である。なお、各図に記載した表示装置の構造は、本願発明の原理を説明するためのものであり、用途に応じて種々変更された状態で使用されるものであり、図示された形状や構造に限定されるものではない。本願発明に係る表示装置および表示方法は、種々の用途に使用可能なものであるが、本実施の形態では人形の眼として使用する表示装置について説明する。当該表示装置等を人形の眼部に使用することにより、人形体としての外観上の美観を損なうことなく、表情を豊かに変化させることができる人形を提供することができるものである。
【００１７】
図１乃至図４において、１は本願発明に係る表示装置を示している。表示装置１は、主な構成要素として表示部となる表示パネル３と、当該表示パネル３が取り付けられる基体５と、表示パネル３と基体５によって形成される空間に収容される複数の移動体７と、当該移動体７を移動駆動させる駆動手段９とを有している。また、前記表示パネル３と基体５によって形成される空間には、前記複数の移動体７とともに光の透過を妨げる性質を有した流動体１１が収容されている。また、前記空間は流動体１１によって充填されていることが望ましいが、前記表示パネル３を介して前記複数の移動体７を視認できない程度に流動体７が収容されていれば、充填されていなくても構わない。
【００１８】
表示パネル３は、透明若しくは半透明の素材によって形成された板状の部材（透明体、半透明体）であり、全部若しくは一部が光を透過するように構成されたものである。本実施の形態では、表示パネル３はプラスチック若しくはガラス等の透明な素材によって長手方向の長さが略４９ｍｍ、短手方向の長さが略３９ｍｍとなる楕円形状に形成されている。厚さは略１ｍｍ程度となっている。なお、後述するように、表示パネル３の表面形状および内面形状を球面のように湾曲させた形状としてもよい。
【００１９】
前記表示パネル３は、前記基体５に対して接着固定されるようになっている。基体５の表面部には、前記表示パネル３の外形形状と略同一形状に形成された所定深さの凹部（収容部）１３が形成されている。凹部１３の内周縁には、表面からの深さが略１ｍｍ程度の段差部１５が形成されている。前記表示パネル３は、凹部１３の内周に嵌め付けられるようになっており、前記段差部１５に当接する位置で固定されるようになっている。当該固定には、接着剤が用いられ、凹部１３内の気密性を保つようになっている。
また、凹部１３の底面１７には、前記各移動体７（７ａ、７ｂ、７ｃ）を上下移動可能に保持する保持部１９（１９ａ、１９ｂ、１９ｃ）が設けられている。当該保持部１９は、前記各移動体７の形状に合わせて形成された凹部であり、移動体７の回動を防止する機能も有している。また、保持部１９は、移動体７の移動に応じて保持部１９内に収容している流動体１１を効率よく排出し、効率よく流入させるように溝２１等が形成されている。
【００２０】
移動体７（７ａ、７ｂ、７ｃ）は、前記表示パネル３を介して視認される表示体２３（２３ａ、２３ｂ、２３ｃ）と、当該表示体２３と一体的に設けられた被保持部材を有した構造になっている。また、表示パネル３側に面した表示体２３の表面は黒色若しくは黒に近い濃い色に着色されている。なお、表示体２３の形状・模様・色彩については表示情報に応じて適時変更されるものであり、黒色若しくは黒に近い濃い色を着色したものに限られない。
図１乃至図４に示した表示装置１には、一例として細長い棒状の表示面を有した表示体（第１表示体）２３ａ、同様の構造の表示体（第２表示体）２３ｂ、楕円の一部外周を切り欠いた形状の表示面を有する表示体（第３表示体）２３ｃが用いられている。
第１および第２表示体２３ａ、２３ｂは、ともに前記棒状の表示面を形成するために、細幅の板状体２７（２７ａ、２７ｂ）の長手方向の側面を表示面としている。そして、前記板状体の略中央に、裏面側に向かって膨出させた円柱状の凸部２９（２９ａ、２９ｂ）が設けられている。これら板状体２７および凸部２９が前記保持部１９内に遊嵌される被保持部となり、移動体７の回動が規制された状態で表裏方向に移動可能に保持されるようになっている。
【００２１】
また、移動体７ｃは表示体２３ｃの形状が前記第１および第２表示体２３ａ、２３ｂとは異なるものの、裏面に前記凸部２９ａ、２９ｂと同じ凸部２９ｃを有している。当該凸部２９ｃが表示体２３ｃの被保持部となり、保持部１９ｃに遊嵌されるようになっている。
また、表示体２３ｃは前述のように楕円の一部外周を切り欠いた形状を有しているが、当該切り欠いた部分を補って楕円形状とする凸縁体３１が保持部１９ｃの近傍に立設されている。当該凸縁体３１は、移動しない固定的な表示体として作用する他、表示体２３ｃの外形と係合し当該表示体２３ｃの回動を規制する作用を有している。
また、前記凸部２９ａ、２９ｂ、２９ｃには、それぞれ永久磁石３３が固定されている。当該永久磁石３３は、表示体の表裏方向で磁極（Ｎ極、Ｓ極）が異なるように配置されている。
【００２２】
基体５の裏面には、前記凹部１３の内面に形成した保持部１９（１９ａ、１９ｂ、１９ｃ）に対応する位置に、それぞれ電磁石として作用するコイル３５（３５ａ、３５ｂ、３５ｃ）および円柱状の永久磁石３７（３７ａ、３７ｂ、３７ｃ）が設けられており、当該コイル３５が前記移動体７の駆動手段として機能するようになっている。
コイル３５には、制御装置（図示せず）による制御によって所定の電流が印加され、前記各移動体７（７ａ、７ｂ、７ｃ）に設けた永久磁石３３と反発若しくは吸着する方向に磁界を発生し、移動体を表示パネル３側に押し出し若しくは表示パネル３側から引き戻すようになっている。また、コイル３５と同軸上に設けた永久磁石３７も前記永久磁石３３と反発する磁界を発生する向きで配置されている。これにより、押し出し方向へコイル３
５を通電させた場合、移動体を素早く表示パネル側に移動させ所定の眼の表情を迅速に表示させることが出来るようになっている。
【００２３】
前述のように、表示装置１は、基体５の裏面に駆動手段としてコイル３５と永久磁石３７を設け、基体５の内面に各移動体７を設け、当該各移動体７を装着した状態で表示パネル３が装着されるようになっている。そしてさらに、基体５の内面と表示パネル３の間に構成される空間には、光透過性の低い流動体としてチタン等の粉末を混入した乳白色の液状体が封入されている。なお、流動体として使用するものは当該液体に限らず、前記移動体の移動を妨げずかつ光透過性の低い性質を有するものであれば、粉末状にした固体等や他の素材を用いても差し支えない。
本願明細書において光透過性の低い流動体とは、光の透過を妨げるような性質を有した流動性を有する気体、液体、固体、若しくはこれらを混ぜ合わせることにより生成された流動性を有するものをいう。また、所定の粘性を有した流動体を用いることにより、表示装置の向きや表示装置に与えられる振動等によって表示体を移動させないようにすることができる。当該流動体の粘性は、表示体等の大きさや前記磁石やコイルによる駆動手段の能力によって適時最適な値に設定されるものである。
また、上記実施の形態は、不透明体によって形成した基体５の一側面に透明体等若しくは半透明体である表示パネル３を装着したものである。しかし、本願発明は当該表示装置の構造に限るものではなく、収容部の外周を構成する壁の一部若しくは全部を透明若しくは半透明に構成してもよい。また、後述するような人形体に装着して使用するもののみならず、表示装置単体として使用し一または複数の方向から表示体を視認可能としたものも含むものである。
【００２４】
以上説明した表示装置１は、左眼用および右眼用として形成した表示装置を二個一対として使用することで、人形の表情を変えるための眼として使用することができる。
以下、本願発明に係る表示装置１を用いた眼の表情の表示例を説明する。なお、以下の説明では、左右対称に形成された二個の表示装置を使用しているが、同じ機能を有する構成要素には同一の符号を付して説明を行う。
図４（ａ）は、移動体７ｃのみを表示パネル３側に移動させ、当該表示パネル３を介して移動体７ｃの第３表示体２３ｃを見えるように制御した状態を表している。当該表示制御は、コイル３５ｃに永久磁石３３ｃと反発する方向の磁界を発生するように電流を印加し、他のコイル３５ａ、３５ｂには永久磁石３３ａ、３３ｂと吸着する方向の磁界を発生するように電流を印加したものである。当該制御を行うと、第３表示体２３ｃが流動体１１を押しのけて表示パネル３の裏面に接する程度まで近接し、第３表示体２３ｃが視認できるようになっている。他の第１表示体２３ａおよび第２表示体２３ｂは、表示パネル３の裏面から遠ざかるので、当該表示パネル３と第１表示体２３ａおよび第２表示体２３ｂの間に流動体１１が入り込み、当該表示体の視認を妨げるようになっている。以上説明した制御により、図４（ａ）に示したような表示が行われるようになっている。
また、前記流動体１１による表示体２３の視認を妨げる制御は、完全に表示体２３を視認不可能にするものの他、表示体２３が多少透けて見える程度にまで見えにくくするものを含むものである。
【００２５】
図４（ｂ）は、全ての移動体７を表示パネル３から遠ざかる方向に移動させ、流動体１１によって各表示体２３ａ〜２３ｃを視認出来ない状態としたものである。この場合、凸縁体３１の上端面のみが表示パネル３を介して視認できるようになっている。
なお、前記図４（ａ）に示した楕円形状の眼の表示は、凸縁体３１と第３表示体２３ｃの組み合わせによって表示が行われたものであり、第３表示体２３ｃが無い状態では図４（ｂ）に示したような表示となるようになっている。
【００２６】
図４（ｃ）は、移動体７ｂおよび移動体７ｃを表示パネル３側に移動させ、当該表示パ
ネル３を介して移動体７ｂの第２表示体２３ｂと移動体７ｃの第３表示体２３ｃを見えるように制御した状態を表している。当該表示制御は、コイル３５ｂおよび３５ｃに永久磁石３３ｂ、３３ｃと反発する方向の磁界を発生するように電流を印加し、他のコイル３５ａには永久磁石３３ａと吸着する方向の磁界を発生するように電流を印加したものである。当該制御を行うと、第２表示体２３ｂと第３表示体２３ｃが流動体１１を押しのけて表示パネル３の裏面に接する程度まで近接し、第２表示体２３ｂと第３表示体２３ｃが視認できるようになっている。他の第１表示体２３ａは、表示パネル３の裏面から遠ざかるので、当該表示パネル３と第１表示体２３ａの間に流動体１１が入り込み、当該表示体の視認を妨げるようになっている。以上説明した制御により、図４（ｃ）に示したような表示が行われるようになっている。
【００２７】
図４（ｄ）は、移動体７ａおよび移動体７ｃを表示パネル３側に移動させ、当該表示パネル３を介して移動体７ａの第１表示体２３ａと移動体７ｃの第３表示体２３ｃを見えるように制御した状態を表している。当該表示制御は、コイル３５ａおよび３５ｃに永久磁石３３ａ、３３ｃと反発する方向の磁界を発生するように電流を印加し、他のコイル３５ｂには永久磁石３３ｂと吸着する方向の磁界を発生するように電流を印加したものである。当該制御を行うと、第１表示体２３ａと第３表示体２３ｃが流動体１１を押しのけて表示パネル３の裏面に接する程度まで近接し、第１表示体２３ａと第３表示体２３ｃが視認できるようになっている。他の第２表示体２３ｂは、表示パネル３の裏面から遠ざかるので、当該表示パネル３と第２表示体２３ｂの間に流動体１１が入り込み、当該表示体の視認を妨げるようになっている。以上説明した制御により、図４（ｄ）に示したような表示が行われるようになっている。
【００２８】
［第２実施形態］次に、図５を用いて本願発明に係る表示装置の第２の実施の形態を説明する。
図５は、表示装置の他の実施例に係る表示装置１０１を表している。表示装置１０１は、前述した表示装置１と主な構造は略同一である。表示装置１において説明した基体５、駆動手段９、流動体１１、凹部１３、段差部１５、底面１７、保持部１９、溝２１、凸部２９、永久磁石３３、コイル３５、永久磁石３７の構造および作用等については、当該他の実施例に係る表示装置１０１と同一であるので説明を省略する。以下、表示装置１０１について、表示装置１との相違点を中心に説明を行う。
【００２９】
表示パネル１０３は、透明若しくは半透明の素材によって形成された、中央が膨らんだ湾曲面を有する板状の部材であり、全部若しくは一部において光を透過させるように構成されたものである。表示パネル１０３は、基体５に設けられた凹部１３の内周縁に取り付けられるようになっている。
前記表示パネル１０３と基体５の凹部１３によって形成される収容空間には、移動体１０７（１０７ａ、１０７ｂ、１０７ｃ）が移動可能に収容され、流動体１１が収容されている。前記空間は流動体１１によって充填されていることが望ましいが、前記表示パネル１０３を介して前記複数の移動体１０７を視認できない程度に流動体７が収容されていれば、充填されていなくても構わない。
【００３０】
表示装置１０１に用いる移動体１０７は、表示体１２３（１２３ａ、１２３ｂ、１２３ｃ）の形状が前述した表示装置１と異なっている。すなわち、各移動体１０７に設けた表示体１２３は、湾曲した表示パネル１０３の内面形状に沿って湾曲した表示面を有している。このように表示パネル１０３の内面形状に沿って湾曲した表示面を形成することで、移動体１０７の突出時における表示パネル１０３内面と表示面との間に生じる隙間を無くし、流動体１１をムラ無く排除して表示面を明瞭に見せることが出来るようになっている。
また、湾曲した表示パネル１０３は、当該表示装置１０１を搭載する機器等に応じて適
宜湾曲率を変えたり、外形形状を変えて用いられるものである。例えば、人形の顔面形状は湾曲した球形状である場合が多く、当該顔面の湾曲形状に合わせて眼の表示装置を形成することが出来る。湾曲面上に平坦な板状の表示装置を搭載することは美観を損ねることになるが、湾曲面上に同様に湾曲した表示パネルを有する表示装置を搭載することにより美観を損ねることが無い。本実施の形態に係る表示装置１０１は、このように搭載する装置等の外観形状に合わせた表示パネルを有する表示装置を提供することができるという効果を有する。
【００３１】
以上、本願発明に係る表示装置を人形用の眼として形成した例を説明したが、本願発明に係る表示装置は上記例に限られることなく種々の装置に適用可能なものである。すなわち、数字等を表す７セグメントＬＥＤ表示装置のように表示体を構成することにより、数字や時刻を表すような表示装置として使用することが出来る。また、表示体の表面に蛍光性の塗料や光を反射する塗料等を塗布することにより、夜間であっても視認しやすい表示装置を提供することができる。また、表示面は平坦面である必要がないので、球体表面に表示装置を設けたり、円柱の表面に表示装置を設けたりする等、設置場所を問わず表示装置を設けることが出来る。
また、上記実施の形態では、乳白色の液状体を使用したが表示体とのコントラストが明瞭になるようなものであれば当該乳白色に限定される必要はない。
【００３２】
［第３実施形態］次に、本願発明に係る表示装置の第３の実施の形態を図６を用いて説明する。
図６（ａ）、図６（ｂ）において、１５１は本願発明に係る表示装置を示している。表示装置１５１は、前述した第１実施形態の表示装置１と同様に、移動手段の移動によって表示・非表示を行うことを特徴とした表示装置である。
表示装置１５１は、主な構成として表示部となる表示パネル１５３と、当該表示パネル１５３が取り付けられる基体１５５と、表示パネル１５３と基体１５５によって形成される空間に収容される複数の移動体１５７を有している。また、前記表示パネル１５３と基体１５５によって形成される空間には、前記複数の移動体１５７とともに光の透過を妨げる性質を有した流動体１６１が収容されている。また、前記空間は流動体１６１によって充填されていることが望ましいが、前記表示パネル１５３を介して前記複数の移動体７を視認できない程度に流動体１５７が収容されていれば、充填されていなくても構わない。上記各構成要素の主な構造・機能については前述した第１実施形態に係る表示装置１と同様である。
【００３３】
以下、第１実施形態との相違点を中心に表示装置１５１の説明を行う。表示装置１５１は、前記移動体１５７を移動駆動させる駆動手段としてコイル１５９を有している。当該コイルは、移動体１５７に対応して基体１５５の裏面に設けられている。
前記移動体１５７は、基体１５５に設けられた断面多角形状のガイド棒１６３に挿通されており、ガイド棒１６３によって回転が規制され、姿勢を保ったまま移動するように構成されている。移動体１５７は、情報を表す表示体として所定の形状に形成されており、表示パネル１５３の裏面に近接することにより当該形状が視認できるようになっている。また、移動体１５７は永久磁石によって形成されており、通電による前記コイル１５９の磁力によって、吸着・反発が行われ移動するようになっている。
また、前述したガイド棒１６３の形状および、ガイド位置等については種々の形態が適応可能であり、前述した構造に限定されるものではない。
さらに、流動体１６１は、液状体に限るものではなく、光の透過を妨げる性質を有した気体であってもかまわない。
【００３４】
［第４実施形態］次に、本願発明に係る表示装置の第４の実施の形態を図７を用いて説明する。
図７において、２０１は本実施の形態に係る表示装置を示している。表示装置２０１は、前述した第１実施形態の表示装置１と同様に、移動手段の移動によって表示・非表示を行うことを特徴とした表示装置である。
表示装置２０１は、主な構成として表示部となる表示パネル２０３と、当該表示パネル２０３が取り付けられる基体２０５と、表示パネル２０３と基体２０５によって形成される空間に収容される複数の移動体２０７を有している。また、表示パネル２０３と基体２０５によって形成される空間には、前記複数の移動体２０７とともに光の透過を妨げる性質を有した流動体２１１が収容されている。また、前記空間は流動体２１１によって充填されていることが望ましいが、前記表示パネル２０３を介して前記複数の移動体２０７を視認できない程度に流動体７が収容されていれば、充填されていなくても構わない。上記各構成要素の主な構造・機能については前述した第１実施形態に係る表示装置１と同様である。
【００３５】
表示装置２０１の移動体２０７は、表示パネル２０３と近接することにより視認可能となる表示体２２３と、当該表示体２２３の裏面に設けた棒状の駆動軸２２９を有している。駆動軸２２９は、基体２０５の前記空間の底面に穿設された孔を介して裏面より突出しており、当該突出した駆動軸２２９の端部には後述するカム２０９との当接部材２３１が設けられている。また、当該当接部材２３１の周縁には、基体２０５裏面との間の空間を覆う弾性素材によるカバー体２３３が設けられている。当該カバー体２３３は、前記当接部材２３１の周縁を頂点とした傘状の部材であり、終端縁は基体２０５裏面に接合され、カバー体２３３で覆われた空間の気密性を保つようになっている。当該カバー体２３３で覆われた空間２３５は、移動体２０７が収容された空間と小孔２３７を介して連通している。空間２３５にも流動体２１１が収容されており、小孔２３７を介して流動体２１１が出入可能になっている。
【００３６】
移動体２０７は、基体２０５の裏面に設けられたコイルスプリング２３９によって、表示パネル２０３から遠ざける方向に附勢されている。また、当接部材２３１には、カム２０９のカム面が当接するようになっており、カム２０９の回転にともなって当接部材２３１が押圧され、前記コイルスプリング２３９の弾性に抗して移動体２０７を表示パネル２０３方向に押圧するようになっている。
カム２０９は、所定の制御手段および駆動装置（図示せず）によって回転駆動されるようになっており、当該カム２０９の駆動によって移動体２０７の出退動作を制御し、表示体による所定の表示を行うようになっている。
【図面の簡単な説明】
【００３７】
【図１】本願発明に係る表示装置の分解斜視図である。
【図２】本願発明に係る表示装置の平面図である。
【図３】本願発明に係る表示装置の断面図である。
【図４】本願発明に係る表示装置の使用状態を説明する説明図である。
【図５】本願発明に係る表示装置の第２実施の形態を説明する説明図である。
【図６】本願発明に係る表示装置の第３実施の形態を説明する説明図である。
【図７】本願発明に係る表示装置の第４実施の形態を説明する説明図である。
【符号の説明】
【００３８】
１  表示装置
３  表示パネル
５  基体
７（７ａ、７ｂ、７ｃ）  移動体
９  駆動手段
１１  流動体
１３  凹部
１５  段差部
１７  底面
１９（１９ａ、１９ｂ、１９ｃ）  保持部
２１  溝
２３（２３ａ、２３ｂ、２３ｃ）  表示体
２７（２７ａ、２７ｂ）  板状体
２９（２９ａ、２９ｂ）  凸部
３１  凸縁体
３３  永久磁石
３５（３５ａ、３５ｂ、３５ｃ）  コイル
３７（３７ａ、３７ｂ、３７ｃ）  永久磁石
１０３  表面パネル
１０７（１０７ａ、１０７ｂ、１０７ｃ）  移動体
１２３（１２３ａ、１２３ｂ、１２３ｃ）  表示体
【図１】
2005288001.tif 000003
【図２】
2005288001.tif 000004
【図３】
2005288001.tif 000005
【図４】
2005288001.tif 000006
【図５】
2005288001.tif 000007
【図６】
2005288001.tif 000008
【図７】
2005288001.tif 000009